(57)【要約】【課題】機器の操作者による操作の履歴を報知できるテレビを提供する。【解決手段】テレビ１００は、アンテナ２０２に接続される。テレビ１００は、主たる構成要素として外部入力部２０４と、受光部２０６と、操作部２０８と、テレビ１００の動作を制御するＣＰＵ２１０と、チューナ２１４と、切換回路２１６と、インターネットを介して情報通信可能な通信ＩＦ２７０とを含む。ＣＰＵ２１０は、受光部２０６が受光した機器の制御信号に基づいて操作履歴を表わす情報を生成し、通信ＩＦ２７０を介して、他の情報通信装置にその情報を送信する。【選択図】図２
2007258939.tif 000002
【特許請求の範囲】
【請求項１】
テレビジョン受信装置であって、
映像を表示する表示手段と、
複数の機器の各々の動作を制御するための各赤外線信号を受信する受光手段とを備え、各前記赤外線信号は、各前記機器を特定する機器データと、各前記機器について予め規定された動作の切り換えを指示するデータを含み
各前記制御データを格納する記憶手段と、
前記機器データが前記テレビジョン受信装置を特定するデータである場合に、前記制御データに基づいて、前記テレビジョン受信装置の動作を制御する制御手段と、
前記動作の切り換えを指示するデータに基づいて、前記動作が切り換えられたことを表わすデータを前記操作データとして生成する生成手段とを備え、
前記記憶手段は、前記操作データの送信先である通信装置を特定するための識別データをさらに記憶しており、
前記識別データに基づいて、通信回線を介して前記操作データを送信する送信手段をさらに備える、テレビジョン受信装置。
【請求項２】
テレビジョン受信装置であって、
映像を表示する表示手段と、
複数の機器の各々の動作を制御するための各赤外線信号を受信する受光手段とを備え、各前記赤外線信号は、各前記機器を特定する機器データと、各前記機器について予め規定された動作の実行を指示する制御データとを含み、
各前記制御データを格納する記憶手段と、
前記機器データが前記テレビジョン受信装置を特定するデータである場合に、前記制御データに基づいて、前記テレビジョン受信装置の動作を制御する制御手段と、
前記機器データに対応付けられる前記制御データに基づいて、前記機器データによって特定される機器の動作の内容を表わす操作データを生成する生成手段と、
前記操作データを出力する出力手段とを備える、テレビジョン受信装置。
【請求項３】
前記制御データは、各前記機器の動作の切り換えを指示するデータを含み、
前記生成手段は、前記動作の切り換えを指示するデータに基づいて、前記動作が切り換えられたことを表わすデータを前記操作データとして生成する、請求項２に記載のテレビジョン受信装置。
【請求項４】
前記機器は、エアコンであり、
前記動作の切り換えを指示するデータは、前記エアコンの電源のオンまたはオフを指示するデータを含み、
前記生成手段は、前記電源のオンまたはオフを指示するデータに基づいて、前記エアコンの動作が切り換えられたことを表わすデータを前記操作データとして生成する、請求項３に記載のテレビジョン受信装置。
【請求項５】
前記機器は、照明であり、
前記動作の切り換えを指示するデータは、前記照明の電源のオンまたはオフを指示するデータを含み、
前記生成手段は、前記電源のオンまたはオフを指示するデータに基づいて、前記照明が点灯または消灯されたことを表わすデータを前記操作データとして生成する、請求項３に記載のテレビジョン受信装置。
【請求項６】
前記出力手段は、通信回線を介して前記操作データを送信する送信手段を含む、請求項２に記載のテレビジョン受信装置。
【請求項７】
前記記憶手段は、前記操作データの送信先である通信装置を特定するための識別データをさらに記憶しており、
前記送信手段は、前記識別データに基づいて、前記操作データを前記通信装置に送信する、請求項６に記載のテレビジョン受信装置。
【請求項８】
時刻を検出する計時手段をさらに備え、
前記送信手段は、予め定められた時間ごとに前記操作データを送信する、請求項６に記載のテレビジョン受信装置。
【請求項９】
時刻を検出する計時手段をさらに備え、
前記送信手段は、予め定められた時刻に前記操作データを送信する、請求項６に記載のテレビジョン受信装置。
【請求項１０】
前記通信回線に接続され、前記操作データの送信を要求する指示が含まれる信号を受信する受信手段をさらに備え、
前記送信手段は、前記指示に基づいて前記操作データを送信する、請求項６に記載のテレビジョン受信装置。
【請求項１１】
前記記憶手段は、各前記制御データを順次格納し、
前記生成手段は、前記送信を要求する指示に基づいて、前記信号が受信された時点において最後に格納されている前記制御データを用いて前記操作データを生成する、請求項１０に記載のテレビジョン受信装置。
【請求項１２】
機器の動作を制御するための制御信号を発信する発光手段と、
前記通信回線を介して、前記制御信号を送信する指示が含まれる信号を受信する受信手段とをさらに備え、
前記制御手段は、前記指示に基づいて、前記発光手段に前記制御信号を発信させる、請求項６に記載のテレビジョン受信装置。
【請求項１３】
前記記憶手段は、機器の情報を提供するサーバ装置にアクセスするためのアクセス情報をさらに格納しており、
前記制御手段は、
前記制御信号に基づいて、前記機器を識別する情報を取得する取得手段と、
前記機器に関する情報の送信要求を生成する要求生成手段と、
前記アクセス情報に基づいて、前記送信手段に、前記送信要求を前記サーバ装置に対して送信させる送信制御手段とを含み、
前記テレビジョン受信装置は、前記通信回線を介して、前記サーバ装置から、前記機器に関する情報を受信する受信手段をさらに備え、
前記表示手段は、前記機器に関する情報に基づく映像を表示する、請求項６に記載のテレビジョン受信装置。
【発明の詳細な説明】
【技術分野】
【０００１】
本発明は、テレビジョン受信装置に関し、より特定的には、監視機能を有するテレビジョン受信装置に関する。
【背景技術】
【０００２】
生活環境の多様化により、遠隔地に存在する家族の様子を知りたいという要請がある。そこで、たとえば、テレビその他の家電製品の操作の信号を送信することによって、当該操作の状況を通知するような技術が開示されている。
【０００３】
たとえば、特開２００４−２７４２９６号公報（特許文献１）は、一人暮らしの老人が使用するのに負担が少なく、導入が容易な安否確認用の情報処理システムを開示している。
【０００４】
また、特開平９−２８６８１号公報（特許文献２）は、真に異常が生じている場合にのみ通報が可能な安否確認システムを開示している。
【０００５】
また、特開２００１−２９１１７６号公報（特許文献３）は、被介護者の行動の異常を介護者が常時監視することなく迅速に検知できる異常監視装置を開示している。
【０００６】
また、特開２０００−２９３７７４号公報（特許文献４）は、安易かつ確実に一人暮らしの老人の安否を確認できる安否確認装置を開示している。
【０００７】
さらに、特開２００２−３７３２１０号公報（特許文献５）は、高齢者等の被験者の日常の生活活動度をプライバシーを確保しつつ自然に集積でき、生活活動度を評価可能な生活活動度評価システムを開示している。
【特許文献１】特開２００４−２７４２９６号公報
【特許文献２】特開平９−２８６８１号公報
【特許文献３】特開２００１−２９１１７６号公報
【特許文献４】特開２０００−２９３７７４号公報
【特許文献５】特開２００２−３７３２１０号公報
【発明の開示】
【発明が解決しようとする課題】
【０００８】
しかしながら、上記各公報に開示された各技術によれば、テレビその他の家電製品以外にリモコン信号を受信するための機器が別に必要になる。また、当該機器が正常に作動していない場合には、操作者の情報が正しく通報されない場合も有り得る。
【０００９】
本発明は、上述の問題点を解決するためになされたものであって、その目的は、リモコンで制御可能な機器の使用者の状態を簡易に見守ることができるテレビジョン受信装置を提供することである。
【課題を解決するための手段】
【００１０】
上記の課題を解決するために、この発明のある局面に従うテレビジョン受信装置は、映像を表示する表示手段と、複数の機器の各々の動作を制御するための各赤外線信号を受信する受光手段とを備える。各赤外線信号は、各機器を特定する機器データと、各機器について予め規定された動作の切り換えを指示するデータを含む。テレビジョン受信装置は、各制御データを格納する記憶手段と、機器データがテレビジョン受信装置を特定するデータである場合に、制御データに基づいて、テレビジョン受信装置の動作を制御する制御手段と、動作の切り換えを指示するデータに基づいて、動作が切り換えられたことを表わすデータを操作データとして生成する生成手段とを備える。記憶手段は、操作データの送信先である通信装置を特定するための識別データをさらに記憶している。テレビジョン受信装置は、識別データに基づいて、通信回線を介して操作データを送信する送信手段をさらに備える。
【００１１】
この発明の他の局面に従うテレビジョン受信装置は、映像を表示する表示手段と、複数の機器の各々の動作を制御するための各赤外線信号を受信する受光手段とを備える。各赤外線信号は、各機器を特定する機器データと、各機器について予め規定された動作の実行を指示する制御データとを含む。テレビジョン受信装置は、各制御データを格納する記憶手段と、機器データがテレビジョン受信装置を特定するデータである場合に、制御データに基づいて、テレビジョン受信装置の動作を制御する制御手段と、機器データに対応付けられる制御データに基づいて、機器データによって特定される機器の動作の内容を表わす操作データを生成する生成手段と、操作データを出力する出力手段とを備える。
【００１２】
好ましくは、制御データは、各機器の動作の切り換えを指示するデータを含む。生成手段は、動作の切り換えを指示するデータに基づいて、動作が切り換えられたことを表わすデータを操作データとして生成する。
【００１３】
好ましくは、機器は、エアコンである。動作の切り換えを指示するデータは、エアコンの電源のオンまたはオフを指示するデータを含む。生成手段は、電源のオンまたはオフを指示するデータに基づいて、エアコンの動作が切り換えられたことを表わすデータを操作データとして生成する。
【００１４】
好ましくは、機器は、照明である。動作の切り換えを指示するデータは、照明の電源のオンまたはオフを指示するデータを含む。生成手段は、電源のオンまたはオフを指示するデータに基づいて、照明が点灯または消灯されたことを表わすデータを操作データとして生成する。
【００１５】
好ましくは、出力手段は、通信回線を介して操作データを送信する送信手段を含む。
好ましくは、記憶手段は、操作データの送信先である通信装置を特定するための識別データをさらに記憶している。送信手段は、識別データに基づいて、操作データを通信装置に送信する。
【００１６】
好ましくは、テレビジョン受信装置は、時刻を検出する計時手段をさらに備える。送信手段は、予め定められた時間ごとに操作データを送信する。
【００１７】
好ましくは、テレビジョン受信装置は、時刻を検出する計時手段をさらに備える。送信手段は、予め定められた時刻に操作データを送信する。
【００１８】
好ましくは、テレビジョン受信装置は、通信回線に接続され、操作データの送信を要求する指示が含まれる信号を受信する受信手段をさらに備える。送信手段は、指示に基づいて操作データを送信する。
【００１９】
好ましくは、記憶手段は、各制御データを順次格納する。生成手段は、送信を要求する指示に基づいて、信号が受信された時点において最後に格納されている制御データを用いて操作データを生成する。
【００２０】
好ましくは、テレビジョン受信装置は、機器の動作を制御するための制御信号を発信する発光手段と、通信回線を介して、制御信号を送信する指示が含まれる信号を受信する受信手段とをさらに備える。制御手段は、指示に基づいて、発光手段に制御信号を発信させる。
【００２１】
好ましくは、記憶手段は、機器の情報を提供するサーバ装置にアクセスするためのアクセス情報をさらに格納している。制御手段は、制御信号に基づいて、機器を識別する情報を取得する取得手段と、機器に関する情報の送信要求を生成する要求生成手段と、アクセス情報に基づいて、送信手段に、送信要求をサーバ装置に対して送信させる送信制御手段とを含む。テレビジョン受信装置は、通信回線を介して、サーバ装置から、機器に関する情報を受信する受信手段をさらに備える。表示手段は、機器に関する情報に基づく映像を表示する。
【発明の効果】
【００２２】
本発明に係るテレビジョン受信装置によれば、リモコン操作者の状況を遠隔地に存在する他者に容易に通知することができる。
【発明を実施するための最良の形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施の形態＞
図１を参照して、本発明の第１の実施の形態に係るテレビ１００について説明する。図１は、テレビ１００が接続されているネットワークの構成を表わす図である。テレビ１００は、液晶テレビ、プラズマテレビ、ブラウン管テレビその他のいずれであってもよい。
【００２５】
テレビ１００は、家１０に設置されている。家１０には、さらに、照明１１０と、エアコン１２０とが設置されている。テレビ１００は、有線あるいは無線の通信路１０２を介してゲートウェイ１４０に接続されている。ゲートウェイ１４０は、インターネット１５０に接続されている。テレビ１００は、たとえばリモコン１３０によって制御される。テレビ１００は、リモコン１３０から発信される赤外線信号を受光するための受光部２０６を含む。また、照明１１０およびエアコン１２０は、複数の機器を制御可能なリモコン１３２によって制御される。なお、リモコン１３２は、照明１１０およびエアコン１２０に加えて、テレビ１００の動作を制御できるものであってもよい。
【００２６】
インターネット１５０には、基地局１６０と、ＰＣ（Personal Computer）１７０とが接続されている。基地局１６０は、携帯電話１８０との通信を実現する。なお、テレビとインターネット１５０との通信の態様は、特に限られない。また、公衆回線を介しての通信に限られず、たとえばＬＡＮ（Local Area Network）、携帯電話の通信に使用されるデジタル通信などによって通信が実現されてもよい。
【００２７】
図２を参照して、テレビ１００の具体的構成について説明する。図２は、テレビ１００のハードウェア構成を表わすブロック図である。
【００２８】
テレビ１００は、アンテナ２０２に接続される。テレビ１００は、主たる構成要素として外部入力部２０４と、受光部２０６と、操作部２０８と、テレビ１００の動作を制御するＣＰＵ（Central Processing Unit）２１０と、チューナ２１４と、切換回路２１６とを備える。ＣＰＵ２１０は、メモリ２１２とクロック（図示しない）とを含む。
【００２９】
アンテナ２０２によって受信された放送信号は、チューナ２１４に伝送される。チューナ２１４は、ＣＰＵ２１０から出力される制御信号に基づいて選局が指示されたチャンネルを選択する。外部入力部２０４は、外部から映像音声信号の入力を受け付ける。たとえば、外部入力部２０４は、ＶＴＲ（Video Tape Recorder）、ＤＶＤ（Digital Versatile Disc）プレーヤその他の映像再生装置から送出された映像音声信号の入力を受け付ける。映像音声信号は、外部入力部２０４から切換回路２１６に伝送される。外部入力部２０４は、映像信号の入力と音声信号の入力とを別々に受け付けるものであってもよいし、各信号の入力を別個に受け付けるものであってもよい。
【００３０】
切換回路２１６は、ＣＰＵ２１０から出力される切換指令に基づいて、チューナ２１４から出力される信号と外部入力部２０４から出力される信号とのいずれかを選択的に出力する。
【００３１】
テレビ１００は、さらに、メモリ２５２と、通信ＩＦ（Interface）２７０とを備える。メモリ２５２は、たとえばフラッシュメモリである。メモリは、ＣＰＵ２１０から出力されるテレビ１００に対する操作の履歴を格納する。メモリ２５２におけるデータ構造は、後述する。通信ＩＦ２７０は、ネットワーク通信用のケーブル１０２に接続される。通信ＩＦ２７０は、他の情報通信装置と通信する。他の情報通信装置は、たとえば図１に示されるように、携帯電話１８０、ＰＣ１７０などである。
【００３２】
図２を再び参照して、テレビ１００は、信号処理回路２２０と、ドライバ２２８と、ディスプレイ２３０と、アンプ２３６ａ，２３６ｂと、スピーカ２４０ａ，２４０ｂとを備える。信号処理回路２２０は、分離回路２２２と、ＯＳＤ（On Screen Display）回路２２４とを含む。
【００３３】
切換回路２１６から出力された信号は、分離回路２２２に入力される。分離回路２２２は、ＣＰＵ２１０からの指令に基づいて映像信号と音声信号とを分離する。分離回路２２２から出力される映像信号は、ＯＳＤ回路２２４に入力される。分離回路２２２から出力される音声信号は、アンプ２３６ａ，２３６ｂにそれぞれ伝送される。
【００３４】
ＯＳＤ回路２２４は、ＣＰＵ２１０からの指令に基づいて、ディスプレイ２３０に画像を表示するための信号を生成する。当該画像は、たとえばチャンネル番号その他の文字情報を含む。また、文字情報には、音量レベルを表わす表示、テレビ１００の動作を表わす表示も含まれる。動作を表わす表示は、音量のアップまたはダウン、コントラストの変更などを含む。より具体的には、ＯＳＤ回路２２４は、分離回路２２２から出力される映像信号と、メモリ２１２に予め格納されているデータに基づいて生成される画像信号とを合成し、当該合成によって生成された信号をドライバ２２８に対して出力する。
【００３５】
ドライバ２２８は、ＯＳＤ回路２２４から出力される信号に基づいてディスプレイ２３０における映像の表示処理を実行する。アンプ２３６ａ，２３６ｂは、分離回路２２２から出力される各々の音声信号を増幅して、スピーカ２４０ａ，２４０ｂにそれぞれ伝送する。スピーカ２４０ａ，２４０ｂは、その信号に基づいて音声を出力する。
【００３６】
好ましくは、ＣＰＵ２１０は、受信した信号に含まれる、機器を識別する機器コードが当該テレビ１００を表わすデータである場合に、当該制御データに基づいて、当該テレビ１００の動作を制御する。また、ＣＰＵ２１０は、他の機器を表わす機器コードに対応付けられる制御データに基づいて、機器コードによって特定される当該他の機器（たとえば、エアコン、照明その他の遠隔操作可能な電化製品）の動作の内容を表わす操作データを生成する。
【００３７】
好ましくは、制御データは、各機器の動作の切り換えを指示するデータを含む。ＣＰＵ２１０は、当該動作の切り換えを指示するデータに基づいて、当該動作が切り換えられたことを表わすデータを操作データとして生成する。
【００３８】
より具体的には、たとえば、他の機器がエアコンである場合、当該動作の切り換えを指示するデータは、当該エアコンの電源のオンまたはオフを指示するデータを含んでもよい。ＣＰＵ２１０は、当該電源のオンまたはオフを指示するデータに基づいて、エアコンの動作が切り換えられたことを表わすデータを操作データとして生成する。
【００３９】
また、他の局面においては、当該機器は、照明でも有り得る。この場合、当該動作の切り換えを指示するデータは、当該照明の電源のオンまたはオフを指示するデータである。ＣＰＵ２１０は、照明の電源のオンまたはオフを指示するデータに基づいて、照明が点灯または消灯されたことを表わすデータを操作データとして生成する。
【００４０】
また、他の局面においては、ＣＰＵ２１０は、内蔵するクロックからの時刻に基づいて、予め定められた時間ごとに操作データを送信するように、通信ＩＦ２７０を制御する。具体的には、インターネット１５０への接続が開始される。
【００４１】
また、他の局面においては、ＣＰＵ２１０は、当該時刻に基づいて、予め定められた時刻に、操作データを送信するように、通信ＩＦ２７０を制御する。
【００４２】
好ましくは、ＣＰＵ２１０は、操作データの送信を要求する指示が含まれる信号を受信したことを検知した場合に、当該指示に基づいて操作データを生成し、通信ＩＦ２７０に送信させる。
【００４３】
好ましくは、各当該制御データを順次格納される。この場合、ＣＰＵ２１０は、履歴情報の送信の要求に基づいて、当該要求が受信された時点において最後に格納されている制御データを用いて、操作データを生成する。
【００４４】
また、他の局面において、テレビ１００が赤外線信号その他の制御信号を発信する機能（たとえば赤外線発光部）を有していてもよい。この場合、ＣＰＵ２１０は、通信ＩＦ２７０を介して、機器を制御するための制御信号を送信する指示が含まれる指令を受信する。ＣＰＵ２１０は、その指令に基づいて、当該赤外線発光部に、その制御信号を発信させる。そうすると、当該機器は、テレビ１００からの信号に基づいて作動する。たとえば、エアコン１２０の電源が、テレビ１００からの赤外線信号に基づいて、オンに設定される。
【００４５】
図３を参照して、テレビ１００が備えるＣＰＵ２１０について説明する。図３は、ＣＰＵ２１０によって実現される機能の構成を表わすブロック図である。ＣＰＵ２１０は、テレビ制御部３１０と、生成部３２０と、通信制御部３３０と、表示制御部３４０とを含む。
【００４６】
テレビ制御部３１０は、受光部２０６を介して受信された赤外線信号に基づいてあるいは操作部２０８に対して入力された使用者の操作に基づいて、テレビ１００の動作を実現するための処理を実行する。
【００４７】
生成部３２０は、メモリ２５２あるいはメモリ２１２に格納されているデータに基づいて、テレビ１００が検知したリモコンの操作状況を通知するための信号を生成する。リモコンは、たとえば図１に示されるようにテレビ専用のリモコン１３０および他の機器を制御するためのリモコン１３２のいずれであってもよい。生成部３２０は、具体的には、メモリ２５２に格納されている操作の履歴をインターネット１５０に対して送信するためのパケットデータを生成する。
【００４８】
通信制御部３３０は、通信ＩＦ２７０を介して行なわれる他の情報通信装置との通信を制御する。通信制御部３３０は、テレビ１００の外部との通信を受光部２０６あるいは操作部２０８を介して検知したつ通信指示に基づいてあるいは、ＣＰＵ２１０が内蔵するクロック（図示しない）が予め設定された時刻を報知したことに基づいて、その通信を開始する。
【００４９】
表示制御部３４０は、通信ＩＦ２７０を介して受信したデータに基づく映像をディスプレイ２３０に表示させるための処理を実行する。たとえば、表示制御部３４０は、携帯電話１８０あるいはＰＣ１７０から受信した電子メールに含まれるテキストをディスプレイ２３０に表示させる。
【００５０】
図４を参照して、テレビ１００のデータ構造について説明する。図４は、メモリ２５２におけるデータの格納の一態様を概念的に表わす図である。メモリ２５２は、データを格納するための領域４１０から４３０を含む。
【００５１】
制御信号が取得された日時を表わすデータは、領域４１０に格納される。このデータは、メモリ２１０に格納されているクロックが有する時刻データに基づいて生成される。機器の名称を表わすデータは、領域４２０に格納される。このデータは、受光部２０６によって受光された赤外線信号に含まれる機器を識別するためのコードから取得される。リモコンに対して行なわれた操作の内容を表わすデータは、領域４３０に格納される。このデータは、受光部２０６によって受光された赤外線信号に含まれる制御データに対応する。領域４１０から４３０に格納されているデータは、それぞれ関連付けられている。したがって、取得日時を特定することにより、該当する時刻に行なわれた操作の内容および操作の対象がそれぞれ領域４３０および４２０に格納されているデータによって特定される。
【００５２】
図５を参照して、リモコン１３０について説明する。図５は、リモコン１３０のハードウェア構成を表わすブロック図である。リモコン１３０は、制御回路５１０と、操作ボタン５２０と、メモリ５３０と、ディスプレイ５４０と、発光部５５０とを含む。
【００５３】
制御回路５１０は、電池（図示しない）からの電力の供給を受けて、リモコン１３０の動作を制御する。具体的には、操作ボタン５２０によって受け付けられた操作に対応する信号に基づいて制御信号を生成し、赤外線信号として発光部５５０に発光させる。
【００５４】
また、制御回路５１０は、操作ボタン５２０に対して入力された操作に基づいて、その操作に対応する文字情報を生成し、ディスプレイ５４０に表示させる。メモリ５３０は、そのような表示のためのデータを予め格納している。
【００５５】
ここで、図６と図７とを参照して、テレビ１００と他の情報通信装置との間で行なわれる通信について説明する。図６は、携帯電話１８０からテレビ１００に送信されるパケット６００の構成を概念的に表わす図である。
【００５６】
パケット６００は、ヘッダ６１０とデータ６２０とを含む。ヘッダ６１０は、パケット６００の送信元を特定するためのデータ（たとえば携帯電話１８０に予め割り当てられているネットワーク上のアドレス）と、パケット６００の送信先を特定するためのデータ（たとえばテレビジョン１００のネットワーク上におけるアドレス）と、パケット６００が送信される日時と、パケット６００の内容を表わす属性データとを含む。データ６２０は、ヘッダ６１０に含まれる属性に関連付けられる具体的なデータ項目を含む。データ６２０は、たとえば送信が求められている対象が「操作履歴」であることを表わすデータを含む。
【００５７】
なお、パケット６００は、携帯電話１８０が備えるＣＰＵ（図示しない）によって生成される。当該ＣＰＵは、携帯電話１８０の使用者による操作に基づいて、パケット６００を生成する。携帯電話１８０の使用者が、予め規定された接続手続を実行することにより、携帯電話１８０とインターネット１５０との接続を確立し、テレビ１００に対するアクセスを実現する。携帯電話１８０は、そのアクセスが実現された後に、パケット６００をテレビ１００に向けて送信する。
【００５８】
図７は、テレビ１００から携帯電話１８０に送信されるパケット７００の構成を概念的に表わす図である。パケット７００は、ヘッダ７１０とデータ７２０とを含む。
【００５９】
ヘッダ７１０は、パケット７００の送信元を特定するためのデータ（たとえばテレビ１００のネットワーク上におけるアドレス）と、パケット７００の送信先を特定するためのデータ（たとえば携帯電話１８０のネットワーク上におけるアドレス）と、パケット７００が送信される日時と、パケット７００の内容を示す属性とを含む。データ７２０は、具体的なデータ項目としてヘッダ７１０に含まれる属性に関連付けられる項目を有する。具体的には、データ７２０は、データの種類が「操作履歴」であることを表わすデータと、操作の対象となる機器（たとえば照明）を表わすデータと、操作内容（たとえば電源ＯＦＦ）を表わすデータと、操作が行なわれた日時を表わすデータとを含む。
【００６０】
パケット７００は、テレビ１００が備えるＣＰＵ２１０によって生成される。具体的には、ＣＰＵ２１０は、生成部３２０としてパケット７００を生成する。パケット７００が生成されると、ＣＰＵ２１０は通信制御部３３０として通信ＩＦ２７０を介してインターネット１５０に対して送信する。テレビ１００と携帯電話１８０との通信が確立されている場合には、パケット７００は、携帯電話１８０によって受信される。
【００６１】
図８および図９を参照して、テレビ１００の制御構造について説明する。図８は、テレビ１００がリモコン１３０から発信された赤外線信号を受信したときに実行される処理の手順を表わすフローチャートである。
【００６２】
ステップＳ８１０にて、テレビ１００の受光部２０６は、リモコン１３０により発信された赤外線信号を受信する。受光部２０６は、その信号を電気信号に変換し、ＣＰＵ２１０に送出する。
【００６３】
ステップＳ８２０にて、ＣＰＵ２１０は、受光部２０６から送られた信号と、内部クロック（図示しない）から取得される時刻データ（タイムスタンプ）とを関連付けて、メモリ２５２に格納する（図４）。
【００６４】
上記の処理は、テレビ１００が映像を表示している場合はもちろん、映像を表示していない場合にあっても実現される。すなわち、テレビ１００は、電力の供給を受けている限り、受光部２０６により受信された赤外線信号に含まれる機器の名称と、操作の内容とを、メモリ２５０に逐次格納する。
【００６５】
図９は、メモリ２５２に格納されているデータを送信するためにテレビ１００が実行する処理の手順を表わすフローチャートである。この処理は、ＣＰＵ２１０が、内部クロックからの時刻データに基づいて予め定められた時刻の到来を検知したとき、あるいは通信ＩＦ２７０を介してデータの送信要求を受け付けたときに実行される。
【００６６】
ステップＳ９１０にて、ＣＰＵ２１０は、リモコン１３０に対する操作の履歴の送信指示を検出する。当該検出は、たとえば予め定められた所定時刻において、又は、携帯電話１８０若しくはＰＣ１７０から送信された履歴の送信要求に基づいて行なわれる。ステップＳ９２０にて、ＣＰＵ２１０は、メモリ２５２に格納されている操作履歴を読み出し、メモリ２１２に一時的に保持する。
【００６７】
ステップＳ９３０にて、ＣＰＵ２１０は、操作履歴と、メモリ２１２に格納されている宛先とを用いて、送信情報を生成する。メモリ２１２に格納されている宛先は、たとえばテレビ１００に対して予め登録されたデータ（たとえば電子メールのアドレス）であってもよいし、通信ＩＦ２７０を介して受信された電子メールに含まれる当該メールの送信者を表わすアドレスであってもよい。ＣＰＵ２１０は、送信情報を生成すると、メモリ２１２に格納されているデータを参照して、その情報を履歴データとして通信ＩＦ２７０を介して外部に送信する。
【００６８】
その結果、テレビ１００と他の情報通信装置（たとえば携帯電話１８０、ＰＣ１７０等との通信が確立されている場合には、当該データは、その情報通信装置に送信される。携帯電話１８０あるいはＰＣ１７０の使用者は、そのデータを、電子メールの形式で読み取ることができ、テレビ１００によって把握された機器の操作状況を知ることができる。
【００６９】
このようにすると、図７に示されるようなデータが家１０の外部に滞在する他の使用者にも通知される。したがって、遠隔地にいるたとえば家族の状況を簡便に知ることができる。なお、図７に示される例では、パケット７００に含まれるデータ７２０は、特定のタイミングにおける操作履歴がデータとして含まれている。このようにして含まれるデータは、たとえば履歴の送信要求がテレビ１００によって受け付けられたときに最新の履歴に相当する。しかしながら、その他の時刻における履歴が送信されてもよい。たとえば毎日１時間おきにその時点で最新の履歴を送信するような構成であってもよい。
【００７０】
以上のようにして、本実施の形態に係るテレビ１００は、リモコンの操作により発信された信号から、操作情報を取得し、操作履歴を通信回線を介して送信する。このようにすると、たとえばテレビ１００のオン／オフ、チャンネルの変更等が操作者以外にも通知されるため、当該操作者の家族その他の関係者も、操作者の様子を知ることができる。したがって、たとえば安否の確認の一助となり得る。
【００７１】
＜第２の実施の形態＞
本実施の形態に係るテレビは、リモコンの操作履歴の送信要求を送信した相手に応じて、送信される操作履歴を選択的に構成する機能を有する点で、前述の実施の形態と異なる。なお、本実施の形態に係るテレビは、第１の実施の形態として示されるテレビ１００と同一のハードウェア構成を有する。それらの機能も同じである。したがって、ここではそれらについての説明は繰り返さない。
【００７２】
図１０を参照して、本実施の形態に係るテレビ１００のデータ構造について説明する。図１０は、メモリ２５２におけるデータの格納の一態様を概念的に表わす図である。メモリ２５２は、データを格納するための領域１０１０から１０６０を含む。
【００７３】
リモコン１３０あるいはリモコン１３２の操作履歴が取得された日時を表わすデータは、領域１０１０に格納される。当該操作によって制御された機器を特定するためのデータは、領域１０２０に格納される。当該操作の内容を表わすデータは、領域１０３０に格納される。当該操作を行なった使用者を表わすデータは、たとえば操作者コードとして領域１０４０に格納される。操作履歴を選択的に送信するために予め登録された履歴の送信先は、領域１０５０に格納される。当該送信先に関連付けられる履歴の対象は、領域１０６０に格納される。
【００７４】
図１１を参照して、リモコン操作者を特定するためのデータ（領域１０４０）を送信できるリモコンについて説明する。図１１は、そのような機能を有するリモコン１３０の構成を表わす図である。リモコン１３０は、被制御機器に対して制御信号を発光するための発光部１１４０と、文字情報を表示するディスプレイ８０２と、外部から指示の入力を受け付けて、その入力に応じた信号を出力する操作部１１４０とを含む。操作部１１４０は、たとえばボタンあるいはダイヤルによって実現される。操作部１１４０は、ディスプレイ１１０２に表示されるカーソルの上下および左右方向の移動を指示するカーソルボタン１１０４ａ，１１０４ｂ，１１０４ｃ，１１０４ｄと、リモコン１３０の使用者により入力されたデータを確定するための指示の入力を受け付ける決定ボタン１１１４と、出力される制御信号に含まれる制御データの値を大きくしあるいは小さくさせるためのアップダウンボタン１１０８と、数字ボタン１１０６とを含む。アップダウンボタン１１０８は、制御データの値を大きくする指示を受け付けるボタン１１１８ａ，１１２８ａと、制御データの値を小さくする指示の入力を受け付けるボタン１１１８ｂ，１１２８ｂとを含む。
【００７５】
リモコン１３０は、さらにリモコン１３０の動作モードを切り換えるための指示を受け付けるボタン１１５０を含む。リモコン１３０の使用者が、ボタン１１５０と数字ボタン１１０６とを組合せて同じタイミングで操作することにより、その後は、数字ボタン１１０６によって特定される数字に予め関連付けられた使用者による操作として、制御信号を発信する。
【００７６】
そこで、図１２を参照して、リモコン１３０によって発信される赤外線信号について説明する。図１２は、赤外線信号１２００の構成を表わす図である。赤外線信号１２００は、開始ビット１２１０と、機器コード１２２０と、制御データ１２３０と、操作者コード１２４０と、終了ビット１２５０とを含む。
【００７７】
開始ビット１２１０は、赤外線信号１２００の先頭を表わす。機器コード１２２０は、リモコン１３０が制御しようとする機器を特定するためのデータに相当する。たとえば図１２に示される例では、赤外線信号１２００は、照明１１０を制御するものとして特定される。制御データ１２３０は、機器コード１２２０によって特定される機器に関連付けられる具体的な制御項目に相当する。操作者コード１２４０は、赤外線信号１２００が送信されたときに当該リモコン１３０を操作している使用者を表わす。終了ビット１２５０は、赤外線信号１２００の終わりを表わす。具体的には、赤外線信号１２００は、操作者「１０」によって照明１１０の電源をオンにするために発信された制御信号として特定される。
【００７８】
図１３および図１４を参照して、本実施の形態に係るテレビ１００の制御構造について説明する。図１３は、テレビ１００がリモコン１３０から赤外線信号を受光したときに実行する処理の手順を表わすフローチャートである。
【００７９】
ステップＳ１３１０にて、テレビ１００の受光部２０６は、リモコン１３０から発信された赤外線信号を受信する。受光部２０６は、その信号を電気信号に変換し、ＣＰＵ２１０に送出する。ＣＰＵ２１０は、受光部２０６から送信された信号の中から、操作者を特定するデータと、機器コードと、操作内容とを抽出する。ＣＰＵ２１０は、さらに内部クロック（図示しない）から送信される時刻情報（タイムスタンプ）を抽出したデータに関連付けて、メモリ２５２に格納する（図１０）。
【００８０】
図１４は、テレビ１００が特定の使用者に操作履歴を送信するために実行する処理の手順を表わすフローチャートである。この処理は、たとえば外部の使用者（携帯電話１８０の使用者あるいはＰＣ１７０の使用者）から送信要求を受信したとき、あるいはＣＰＵ２１０が予め設定された時刻の到来を検知したときに実行される。
【００８１】
ステップＳ１４１０にて、ＣＰＵ２１０は、リモコン１３０の操作履歴の送信指示を検出する。ステップＳ１４２０にて、ＣＰＵ２１０は、送信指示の送信元（すなわち操作履歴の要求元）を識別する。具体的には、送信指示に含まれるアドレスと、メモリ２５２に格納されているアドレスとを比較して、当該送信指示が予め登録された使用者による指示であるか否かの判断が行なわれる。ＣＰＵ２１０は、さらに、当該送信指示の要求元が登録されていない操作者からのものであると判断すると、パスワードの入力を促す指示を返信し、セキュリティを確保したアクセス処理を開始する。ステップＳ１４２０において要求元の識別が成功した場合には、その後、送信処理が実行される。しかしながら、識別が失敗した場合には、当該送信指示に対する操作履歴の送信は実行されない。なお、パスワードを用いたアクセス処理については、周知の技術が適用される。たとえば、テレビ１００に予めパスワードを保存しておき、当該パスワードと入力されたパスワードとの比較によって認証処理が行なわれるものであればよい。
【００８２】
ステップＳ１４３０にて、ＣＰＵ２１０は、操作履歴の要求元別に従って、予めメモリ２５２に設定されている操作情報カテゴリ（領域１０６０）に基づいて、保存されている操作履歴を選択的に取得する。具体的には、ＣＰＵ２１０は、領域１０５０のデータによって特定される要求元に対応付けられている送信モード（領域１０６０）を特定する。ＣＰＵ２１０は、送信モード１０６０を参照して、送信すべきデータ項目を特定する。ＣＰＵ２１０は、特定された項目をキーとして、領域１０１０から１０４０に対して検索を実行し、具体的なデータ項目を抽出する。ＣＰＵ２１０は、抽出したデータ項目をメモリ２１２に一時的に格納し、それらのデータと予め特定した送信先とを用いて送信用のパケットを生成する。このパケットは、たとえば図７に示されるようなパケット７００と同様の構成を有する。本実施の形態の場合には、データ７２０に含まれる項目は、送信モードに応じて複数の項目が格納される場合もある。
【００８３】
以上のようにして、本実施の形態に係るテレビ１００によれば、予め登録された使用者ごとに、リモコンの操作情報を送信することができる。また、送信される情報の内容も使用者ごとに変更可能である。このようにすると、特定の使用者ごとの行動を把握することができるため、たとえば、遠隔地にいる家族による当該使用者の見守りを精度良く実現することができる。
【００８４】
＜第３の実施の形態＞
以下、本発明の第３の実施の形態について説明する。本実施の形態に係るテレビは、操作履歴の送信に応答して受信したデータを表示する機能を有する点で、前述の各実施の形態に係るテレビと異なる。
【００８５】
図１５は、本実施の形態に係るテレビ１５００が使用されるネットワーク構成を表わす図である。テレビ１５００は、ケーブル１０２を介してゲートウェイ１４０に接続されている。ゲートウェイ１４０は、インターネット１５０に接続されている。インターネット１５０には、機器情報管理サーバ１５１０が接続されている。
【００８６】
テレビ１５００を実現するＣＰＵ２１０は、通信ＩＦ２７０を介して、当該機器を識別する情報を取得する。具体的には、ＣＰＵ２１０は、当該機器に関する情報の送信要求を生成し、通信ＩＦ２７０に、当該送信要求を当該サーバ装置に対して送信させる。
【００８７】
なお、その他の構成は、図１に示されるものと同じである。したがって、ここではそれらの説明は繰り返さない。
【００８８】
図１６を参照して、機器情報管理サーバ１５１０について説明する。図１６は、機器情報管理サーバ１５１０として機能するコンピュータシステムのハードウェア構成を表わすブロック図である。機器情報管理サーバ１５１０は、主たる構成要素として、相互にデータバスによって接続されたＣＰＵ１６１０と、機器情報管理サーバの管理者による指示の入力を受け付けるためのマウス１６２０およびキーボード１６３０と、入力されるデータあるいはプログラムに従って実行される処理によって生成されるデータを一時的に格納するＲＡＭ（Random Access Memory）１６４０と、データを不揮発的に格納可能なハードディスク１６５０と、ＣＤ−ＲＯＭ（Compact Disk - Read Only Memory）駆動装置１６６０と、モニタ１６８０と、通信ＩＦ１６９０とを含む。ＣＤ−ＲＯＭ駆動装置１６６０には、ＣＤ−ＲＯＭ１６６２が装着可能である。通信ＩＦ１６９０は、インターネット１５０に接続される。
【００８９】
機器情報管理サーバ１５１０として機能するコンピュータシステムにおける処理は、ＣＰＵ１６１０により実行されるプログラムおよび当該プログラムの実行に応じて作動する各ハードウェアによって実現される。このようなプログラムは、ＲＡＭ１６４０あるいはハードディスク１６５０に予め記憶されている場合もあれば、ＣＤ−ＲＯＭ１６６２その他のデータ記録媒体に格納されて、プログラム製品として流通している場合もある。データ記録媒体に格納されているデータは、ＣＤ−ＲＯＭ駆動装置１６６０その他の読取装置によりそのデータ記録媒体から読み取られて、ハードディスク１６５０に一旦格納される。
【００９０】
そのプログラムは、ＲＡＭ１６４０あるいはハードディスク１６５０から読み出されて、ＣＰＵ１６１０によって実行される。図１６に示される各ハードウェアは、一般的なものである。したがって、機器情報管理サーバ１５１０を実現するための最も本質的な部分は、ＲＡＭ１６４０、ハードディスク１６５０、ＣＤ−ＲＯＭ１６６２その他のデータ記録媒体に格納されたプログラムであるともいえる。なお、上記ハードウェアの動作は当業者にとって容易に理解できるものである。したがって、ここでは、詳細な説明は繰り返さない。
【００９１】
図１７を参照して、機器情報管理サーバ１５１０のデータ構造について説明する。図１７は、ハードディスク１６５０に格納されているデータの一態様を概念的に表わす図である。ハードディスク１６５０は、データを格納するための領域１７１０から１７３０を含む。情報提供の対象となる機器を特定するためのデータは、領域１７１０に格納されている。当該機器について提供される情報の具体的な内容は、領域１７２０に格納されている。当該情報がハードディスク１６５０に格納された登録日を表わすデータは、領域１７３０に格納されている。領域１７１０から１７３０に格納されているデータは、それぞれ相互に関連付けられている。したがって、いずれかの領域を特定することにより、当該領域に含まれる項目に関連付けられる他の情報も特定できる。
【００９２】
機器情報管理サーバ１５１０のＣＰＵ１６１０は、ハードディスク１６５０に格納されているデータを参照し、そのデータを用いて、情報の提供を要求した機器に送信するためのパケットを生成する。ＣＰＵ１６１０は、そのパケットを生成すると、通信ＩＦ１６９０を介してインターネット１５０に送出する。そのパケットは、内蔵するアドレスに基づいて指定された宛先に送信される。
【００９３】
そこで、図１８および図１９を参照して、本実施の形態に係るテレビ１５００と機器情報管理サーバ１５１０との通信について説明する。図１８は、テレビ１５００から機器情報管理サーバ１５１０に送信されるパケット１８００の構成を概念的に表わす図である。パケット１８００は、ヘッダ１８１０とデータ内容１８２０とを含む。ヘッダ１８１０は、パケット１８００の送信元（すなわちテレビ１５００）を特定するためのデータと、パケット１８００が送信される宛先（機器情報管理サーバ１５１０）を特定するためのデータと、パケット１８００が送信される日時と、パケットデータ１８００の属性（データ内容）を表わすデータとを含む。データ内容は、たとえばパケット１８００がどのような機器についての情報を要求しているのかを表わすデータである。データ内容１８２０は、ヘッダ１８１０に含まれるデータ内容に関連付けられる具体的な項目を含む。データ内容１８２０は、具体的には機器のメーカーコード（ＡＢＣ社）と、機器名（テレビ）と、当該機器の型番（１２３４）とを含む。
【００９４】
図１９は、機器情報管理サーバ１５１０からテレビ１５００に送信されるパケット１９００の構成を概念的に表わす図である。パケット１９００は、ヘッダ１９１０とデータ内容１９２０とを含む。
【００９５】
ヘッダ１９１０は、パケット１９００の送信元を特定するためのデータ（機器情報管理サーバ１５１０のインターネット１５００上における位置を特定するためのアドレス）と、パケット１９００の宛先を特定するためのデータ（たとえばテレビ１５００のネットワーク上のアドレス）と、パケット１９００が送信される日時と、パケット１９００によって送信されるデータの内容を示す属性情報（たとえば「機器情報回答」）とを含む。
【００９６】
データ内容１９２０は、情報が関連付けられる機器の製造者を特定するためのメーカーコードと、当該機器を特定するための機器名と、当該機器の種類を特定するための型番と、具体的な機器情報とを含む。パケット１９００の例では、機器「テレビ」についての情報がテキスト情報（product-info.detexd）と、画像（protuct-image.jpg）と、音声データ（vgm.audio）とが送信される。
【００９７】
次に、図２０を参照して、機器情報管理サーバ１５１０の制御構造について説明する。図２０は、機器情報管理サーバ１５１０のＣＰＵ１６１０が実行する処理の手順を表わすフローチャートである。
【００９８】
ステップＳ２０１０にて、ＣＰＵ１６１０は、入力された信号に基づいて、インターネット１５０を介してテレビ１５００から機器情報の送信要求を表わすデータ（パケット１８００）を受信したことを検知する。ステップＳ２０２０にて、ＣＰＵ１６１０は、パケット１８００から、メーカーコード、機器名、型番などの情報（データ内容１８２０）を取得し、ＲＡＭ１６４０において一時的に確保された領域に書き込む。
【００９９】
ステップＳ２０３０にて、ＣＰＵ１６１０は、ＲＡＭ１６４０に書込んだデータを参照して、ハードディスク１６５０に含まれるデータベースを検索する（図１７）。ステップＳ２０４０にて、ＣＰＵ４６１０は、テーブル１７００に対する検索の結果に基づいて、機器情報を送信するためのデータをＲＡＭ１６４０において生成する。ＣＰＵ１６１０は、その後、ステップＳ２０１０において受信したパケット１８００に含まれる送信元（ヘッダ１８１０）を用いて、検索の結果を送信するためのパケット１９００を生成する。ステップＳ２０５０にて、ＣＰＵ１６１０は、生成したパケット１９００を通信ＩＦ１６９０を介してインターネット１５０に対して送出する。これにより、テレビ１５００がインターネット１５０に接続されている場合には、パケット１９００は、テレビ１５００によって受信される。
【０１００】
次に、図２１および図２２を参照して、本実施の形態に係るテレビ１５００の制御構造について説明する。図２１は、テレビ１５００がリモコン１３０からの赤外線信号を受信したときに実行する処理の手順を表わすフローチャートである。
【０１０１】
ステップＳ２１１０にて、ＣＰＵ２１０は、テレビ１５００の受光部２０６がリモコン信号を受信したことを検知する。ステップＳ２１２０にて、ＣＰＵ２１０は、その信号に基づいてリモコン１３０が制御しようとしている機器を特定する。ステップＳ２１３０にて、ＣＰＵ２１０は、特定した機器の名称をメモリ２５０において確保された領域に保存する。
【０１０２】
図２２は、機器の情報を取得するために使用者が予め定められた接続処理を実行した場合に実現される処理の手順を表わすフローチャートである。
【０１０３】
ステップＳ２２１０にて、テレビ１５００のＣＰＵ２１０は、使用者による「機器一覧画面」の選択が行なわれたことを検知する。ステップＳ２２２０にて、ＣＰＵ２１０は、メモリ２５２から予め登録されている機器の名称を表わすデータを読み出す。ステップＳ２２３０にて、ＣＰＵ２１０は、読み出したデータに基づいて表示用の信号を生成し、その信号に基づいて、機器名称の一覧をディスプレイ２３０に表示させる。
【０１０４】
ステップＳ２２４０にて、ＣＰＵ２１０は、受光部２０６によって受信された赤外線信号に基づいて、情報を問い合せたい機器が使用者によって選択されたことを検知する。ステップＳ２２５０にて、ＣＰＵ２１０は、機器についての情報を問い合せるためのデータを生成し、通信ＩＦ２７０を介して、そのデータを機器情報管理サーバ１５１０に送信する。機器情報管理サーバ１５１０は、そのデータを受信すると、前述の処理を実行する（図２０）。
【０１０５】
ステップＳ２２６０にて、ＣＰＵ２１０は、通信ＩＦ２７０を介して、機器情報管理サーバ１５１０によって送信された、対象の機器についての情報を受信し、その情報に基づいて文字をディスプレイ２３０に表示させる。また、受信した情報が画像データあるいは音声データを含んでいる場合には、当該画像データに基づいて関連する映像をディスプレイ２３０に表示させ、また、音声データに基づいて音声をスピーカ２４０ａ，２４０ｂにそれぞれ出力させる。
【０１０６】
図２３は、機器の情報を表示するテレビ１５００を表わす図である。テレビ１５００は、ディスプレイ２３０において、受信した情報に基づく機器の関連情報を表示する。具体的には、文字情報２３１０のようにして、使用者が選択した機器についての製品情報その他の情報を表示する。
【０１０７】
以上のようにして、本実施の形態に係るテレビ１５００によると、使用者は、特定の機器についての製品情報、関連製品の情報その他の情報を取得することができる。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０９】
【図１】本発明の実施の形態に係るテレビ１００が接続されているネットワークの構成を表わす図である。
【図２】テレビ１００のハードウェア構成を表わすブロック図である。
【図３】ＣＰＵ２１０によって実現される機能の構成を表わすブロック図である。
【図４】メモリ２５２におけるデータの格納の一態様を概念的に表わす図である。
【図５】リモコン１３０のハードウェア構成を表わすブロック図である。
【図６】携帯電話１８０からテレビ１００に送信されるパケット６００の構成を概念的に表わす図である。
【図７】テレビ１００から携帯電話１８０に送信されるパケット７００の構成を概念的に表わす図である。
【図８】テレビ１００がリモコン１３０から発信された赤外線信号を受信したときに実行される処理の手順を表わすフローチャートである。
【図９】メモリ２５２に格納されているデータを送信するためにテレビ１００が実行する処理の手順を表わすフローチャートである。
【図１０】メモリ２５２におけるデータの格納の一態様を概念的に表わす図である。
【図１１】リモコン操作者を特定するためのデータを送信できるリモコン１３０の構成を表わす図である。
【図１２】リモコン１３０によって発信される赤外線信号１２００の構成を表わす図である。
【図１３】テレビ１００がリモコン１３０から赤外線信号を受光したときに実行する処理の手順を表わすフローチャートである。
【図１４】テレビ１００が特定の使用者に操作履歴を送信するために実行する処理の手順を表わすフローチャートである。
【図１５】本発明の第３の実施の形態に係るテレビ１５００が使用されるネットワーク構成を表わす図である。
【図１６】機器情報管理サーバ１５１０として機能するコンピュータシステムのハードウェア構成を表わすブロック図である。
【図１７】ハードディスク１６５０に格納されているデータの一態様を概念的に表わす図である。
【図１８】テレビ１５００から機器情報管理サーバ１５１０に送信されるパケット１８００の構成を概念的に表わす図である。
【図１９】機器情報管理サーバ１５１０からテレビ１５００に送信されるパケット１９００の構成を概念的に表わす図である。
【図２０】機器情報管理サーバ１５１０のＣＰＵ１６１０が実行する処理の手順を表わすフローチャートである。
【図２１】テレビ１５００がリモコン１３０からの赤外線信号を受信したときに実行する処理の手順を表わすフローチャートである。
【図２２】機器の情報を取得するために使用者が予め定められた接続処理を実行した場合に実現される処理の手順を表わすフローチャートである。
【図２３】機器の情報を表示するテレビ１５００を表わす図である。
【符号の説明】
【０１１０】
１０  家、１００  テレビ、１０２  ケーブル、１３０，１３２  リモコン、１５０  インターネット、１８０  携帯電話、２０２  アンテナ、２２８  ドライバ、２３６ａ，２３６ｂ  アンプ。
【図１】
2007258939.tif 000003
【図２】
2007258939.tif 000004
【図３】
2007258939.tif 000005
【図４】
2007258939.tif 000006
【図５】
2007258939.tif 000007
【図６】
2007258939.tif 000008
【図７】
2007258939.tif 000009
【図８】
2007258939.tif 000010
【図９】
2007258939.tif 000011
【図１０】
2007258939.tif 000012
【図１１】
2007258939.tif 000013
【図１２】
2007258939.tif 000014
【図１３】
2007258939.tif 000015
【図１４】
2007258939.tif 000016
【図１５】
2007258939.tif 000017
【図１６】
2007258939.tif 000018
【図１７】
2007258939.tif 000019
【図１８】
2007258939.tif 000020
【図１９】
2007258939.tif 000021
【図２０】
2007258939.tif 000022
【図２１】
2007258939.tif 000023
【図２２】
2007258939.tif 000024
【図２３】
2007258939.tif 000025